(57)【要約】  カバー（１２）上に据え付けるためのキャッピングアセンブリ（１０）が開示される。キャッピングアセンブリ（１０）は、カバー（１２）上に配設されることができるキャップ（１４）と、キャッピングアセンブリ（１０）をカバー（１２）上に固定することを可能にする固定装置（１８）とを備える。キャッピングアセンブリ（１０）は、カバー（１２）を通して挿入するための挿入部材（１６）を更に含む。キャップ（１４）は、挿入部材（１６）に取り付けられることができる。固定装置（１８）は、固定デバイス（２０）と、固定デバイス（２０）を保持するための保持構造物（４４）とを備え、保持構造物（４４）は、挿入部材（１６）上に設けられる。【選択図】図１
2021510626.tif 000002
【特許請求の範囲】
【請求項１】
カバー上に据え付けるためのキャッピングアセンブリであって、前記カバー上に配設されることができるキャップと、前記キャッピングアセンブリを前記カバー上に固定することを可能にする固定装置と、前記カバーを通して挿入するための挿入部材とを備え、ここにおいて、前記キャップは前記挿入部材に取り付けられることができる、キャッピングアセンブリ。
【請求項２】
前記固定装置は、固定デバイスと、前記固定デバイスを保持するための保持構造物とを備え、前記保持構造物は、前記挿入部材上に設けられる、請求項１に記載のキャッピングアセンブリ。
【請求項３】
前記キャップ及び前記挿入部材は、前記カバーを挟持するためのクランプアセンブリを共に構成し、前記固定デバイスは、前記クランプアセンブリによって保持され、前記固定装置は、前記キャッピングアセンブリを地面に固定するための係留アセンブリを含み、前記係留アセンブリは、前記固定デバイスに固定された細長い係留部材を備える、請求項２に記載のキャッピングアセンブリ。
【請求項４】
前記係留アセンブリは、グラウンドアンカーを更に含み、前記係留部材は、前記クランプアセンブリを前記グラウンドアンカーに係留するために設けられ、前記係留部材は、前記グラウンドアンカーに取り付けられ、前記固定デバイスは、前記係留部材を把持するとともに、前記係留部材を前記クランプアセンブリに取り付けるための把持デバイスを備える、請求項３に記載のキャッピングアセンブリ。
【請求項５】
前記クランプアセンブリは開口を画定し、前記固定デバイスは、本体と、前記本体から延在する突出部とを有し、前記本体は、前記クランプアセンブリの前記開口を貫通して延び、前記突出部は、前記開口に隣接する前記クランプアセンブリの領域に係合して、前記固定デバイスをそこに保持する、請求項３又は４に記載のキャッピングアセンブリ。
【請求項６】
前記挿入部材は、主要部と、前記主要部の周りに延在する周辺部分とを備え、前記周辺部分は、前記カバーに係合するように構成される、請求項５に記載のキャッピングアセンブリ。
【請求項７】
前記挿入部材は、第１及び第２の垂直寸法を有し、前記第１の寸法は、前記第２の寸法よりも長く、前記キャッピングアセンブリは、前記挿入部材を配向するための配向装置を更に含み、前記配向装置は、所望の向きに前記挿入部材を配向するように操作可能である、請求項１〜６のいずれか一項に記載のキャッピングアセンブリ。
【請求項８】
前記配向装置は、２つの細長い可撓性配向部材を備え、各配向部材は、前記挿入部材の前記第１の寸法に沿った異なる点で前記挿入部材に取り付けられる、請求項７に記載のキャッピングアセンブリ。
【請求項９】
前記カバーに係合し前記カバーに対して封止する封止部分を含み、前記封止部分は、前記キャップ上に設けられる、請求項１〜８のいずれか一項に記載のキャッピングアセンブリ。
【請求項１０】
前記キャップは、前記挿入部材の形状に対応する形状を有し、前記キャップは、中央部分と、前記中央部分の周りに延在する外側部分とを有し、前記外側部分は、封止面を有する、請求項１〜９のいずれか一項に記載のキャッピングアセンブリ。
【請求項１１】
前記封止部分は、前記カバーの開口部の周りを封止するために前記封止面上に設けられる、請求項９に従属する請求項１０に記載のキャッピングアセンブリ。
【請求項１２】
前記キャップは、前記中央部分から突出する協働部材を含み、それによって、使用時に、前記挿入部材を覆う前記カバー上に前記キャップが配設されると、前記協働部材は、前記カバーを貫通して延び、前記挿入部材は、前記協働部材と協働して前記キャップを前記挿入部材上に保持するための協働構造物を含む、請求項１０又は１１に記載のキャッピングアセンブリ。
【請求項１３】
前記協働構造物は、前記開口の縁部を備える、請求項１２に記載のキャッピングアセンブリ。
【請求項１４】
前記キャップが前記カバーの方に動かされると、前記協働部材は、前記開口部を貫通して延び、前記封止部分が前記カバーに封止係合するとき、前記協働部材は、第２の協働構造物と協働して前記キャップを前記挿入部材上に保持する、請求項１２又は１３に記載のキャッピングアセンブリ。
【請求項１５】
前記キャッピングアセンブリは、前記キャップの好適な穴を貫通して延びて前記挿入部材の穴によって受容され、それによって前記キャップを前記挿入部材に締結することができる締結具を更に含む、請求項１〜１４のいずれか一項に記載のキャッピングアセンブリ。
【請求項１６】
キャッピングアセンブリをカバー上に据え付ける方法であって、挿入部材と、キャップと、固定装置とを備えるキャッピングアセンブリを提供することと、前記カバーを通して前記挿入部材を挿入することと、前記キャップを前記カバー上に配設することと、前記キャップを前記挿入部材に取り付けることとを備え、ここにおいて、前記方法は、前記固定装置を使用して前記キャッピングアセンブリを前記カバーに固定することを更に含む、方法。
【請求項１７】
前記固定装置は固定デバイスを備え、前記固定装置は、前記固定デバイスを保持することができる保持構造物を備え、前記方法は、前記固定デバイスを前記保持構造物上に配設することを備える、請求項１６に記載の方法。
【請求項１８】
前記固定装置は、前記キャッピングアセンブリを地面に固定するための係留アセンブリを含み、前記係留アセンブリは、細長い係留部材及びグラウンドアンカーを備え、前記方法は、前記係留部材が取り付けられた前記グラウンドアンカーを前記地面に打ち込むことと、その後に前記係留部材を前記固定デバイスに固定することとを含む、請求項１７に記載の方法。
【請求項１９】
前記挿入部材は、第１及び第２の垂直寸法を有し、前記第１の寸法は前記第２の寸法よりも長く、前記方法は、前記カバーに細長い開口部を形成することと、前記開口部は、前記挿入部材の前記第２の寸法よりも長い長さを有し、その後に、前記第１の寸法が前記開口部に対して横方向に延びる向きで、前記挿入部材を前記開口部に長手方向に挿通することとを備える、請求項１６、１７、又は１８に記載の方法。
【請求項２０】
前記キャッピングアセンブリは、前記挿入部材が前記開口部に挿通されたときに前記挿入部材を配向するための配向装置を更に含み、前記方法は、前記挿入部材の前記第１の寸法が前記開口部に対して平行に延びる封止位置に前記挿入部材を移動させるように前記配向装置を操作することを含む、請求項１９に記載の方法。
【請求項２１】
前記配向装置の前記操作は、前記挿入部材を前記封止位置に回転させることを備える、請求項２０に記載の方法。
【請求項２２】
前記挿入部材が前記封止位置に配向されたときに前記固定デバイスを前記挿入部材に対して締め付けるように、前記固定デバイスを通して前記係留部材を引っ張ることと、その後に、前記固定デバイスが挿入部材に対して締め付けられたときに、前記挿入部材より上の前記係留部材を切断することとを含む、請求項２０又は２１に記載の方法。
【請求項２３】
前記配向装置は、前記挿入部材の前記第１の寸法に沿った異なる点で前記挿入部材に取り付けられた２つの細長い可撓性配向部材を備え、前記方法は、前記挿入部材が前記封止位置に配向されたときに各配向部材を切断することを含む、請求項２０、２１、又は２２に記載の方法。
【請求項２４】
前記キャッピングアセンブリは、前記カバーに係合して前記カバーに対して封止する封止部分を備え、前記方法は、前記キャップを前記カバーの方に動かすことを含み、それによって、協働部材は、前記開口部を貫通して延び、前記封止部分が前記カバーに封止係合するとき、前記協働部材は、前記キャップを前記挿入部材上に保持するように第２の協働構造物と協働する、請求項１９〜２３のいずれか一項に記載の方法。
【請求項２５】
前記キャッピングアセンブリは締結具を更に含み、前記方法は、前記挿入部材の穴によって受容される前記キャップの好適な穴に前記締結具を挿通することと、それによって、前記キャップ及び前記挿入部材を互いに締結することと、前記挿入部材と前記キャップとの間に前記カバーを挟持することとを含む、請求項２４に記載の方法。
【発明の詳細な説明】
【技術分野】
【０００１】
本発明は、キャッピングアセンブリに関する。より具体的には、限定するものではないが、本発明は、ごみ埋立地にカバーを固定するために使用するためのキャッピングアセンブリに関する。本発明の実施形態は、埋立地キャップに関する。
【０００２】
ごみ埋立地では、埋立地はカバーで覆われ、当該カバーは、カバーを押さえる砂袋及びタイヤによって埋立地に固定される。代替的には、複数の埋立地キャップが使用されることができる。各キャップは、地中に打ち込まれたアンカーに、ワイヤロープ、ケーブルなどによって係留される。キャップは、キャップの縁周りの接着剤によってカバーに取り付けられる。
【発明の概要】
【０００３】
本発明の１つの態様によれば、カバー上での使用のためのキャッピングアセンブリが提供され、本キャッピングアセンブリは、カバー上に配設されることができるキャップと、キャップをカバー上に固定することを可能にする固定装置と、カバーに対してキャップを封止するためのキャップ上の封止部分とを備え、当該封止部分は、固定装置の周りに延在する。
【０００４】
本キャッピングアセンブリは、カバーを通して挿入するための挿入部材を更に含み得、ここにおいて、キャップは挿入部材に取り付けられることができる。
【０００５】
本発明の別の態様によれば、カバー上に据え付けるためのキャッピングアセンブリが提供され、本キャッピングアセンブリは、カバー上に配設されることができるキャップと、キャッピングアセンブリをカバー上に固定することを可能にする固定装置と、カバーを通して挿入するための挿入部材とを備え、ここにおいて、キャップは挿入部材に取り付けられることができる。
【０００６】
本発明の別の態様によれば、キャッピングアセンブリをカバー上に据え付ける方法が提供され、ここにおいて、本方法は、挿入部材を提供することと、カバーを通して挿入部材を挿入することと、キャップを提供することと、キャップをカバー上に配設することと、キャップを挿入部材に取り付けることとを備え、本方法は、固定装置を提供することと、キャッピングアセンブリをカバーに固定することとを更に含む。
【０００７】
キャップ及び挿入部材は、カバーを挟持するためのクランプアセンブリを共に構成し得る。固定装置は、挿入部材上に設けられ得る。
【０００８】
カバーは被覆膜であり得る。
【０００９】
固定装置は、固定デバイスを備え得る。１つの実施形態では、固定装置は、固定デバイスを保持することができる保持構造物を備え得る。本方法は、保持構造物上に固定デバイスを配設することを備え得る。
【００１０】
固定デバイスは、クランプアセンブリによって保持され得る。好都合には、保持構造物は挿入部材上に設けられる。
【００１１】
固定装置は、キャッピングアセンブリを地面に固定するための係留アセンブリを含み得る。係留アセンブリは、係留部材を備え得る。係留部材は細長くてもよい。係留アセンブリは、グラウンドアンカーを更に含み得る。
【００１２】
係留部材は、クランプアセンブリをグラウンドアンカーに係留するために設けられ得る。係留部材は、グラウンドアンカーに取り付けられ得る。係留部材は、固定デバイスに固定され得る。本方法は、係留部材が取り付けられたグラウンドアンカーを地中に打ち込むことを含み得る。
【００１３】
グラウンドアンカーは、英国特許出願公開第２５１４００４号に記載されているグラウンドアンカーであり得る。グラウンドアンカーは、英国特許出願公開第２５１４００４号に記載されているように、地中に打ち込まれ得る。係留部材は、ワイヤロープ、ケーブルなどであり得る。
【００１４】
本方法は、係留部材を固定デバイスに固定することを更に含み得る。好都合には、係留部材は、グラウンドアンカーが地中に打ち込まれた後に固定デバイスに固定される。
【００１５】
固定デバイスは、係留部材を把持するとともに、係留部材をクランプアセンブリに取り付けるための把持デバイスを備え得る。
【００１６】
クランプアセンブリは、開口を画定し得る。挿入部材は、開口を画定し得る。固定デバイスの一部分は、開口を貫通して延び得る。開口を貫通して延びる固定デバイスの一部分は、係留部材を把持し得る。本明細書に記載の実施形態では、固定デバイスは、英国特許出願公開第２５１６５３３号に記載されているようなものであり得る。
【００１７】
固定デバイスは、本体と、本体から延在する突出部とを有し得る。突出部は、本体の上部領域から延在し得る。突出部はフランジを備え得る。本体は、挿入部材の開口を貫通して延び得、突出部は、挿入部材に係合して、そこに固定デバイスを保持し得る。
【００１８】
挿入部材は、第１及び第２の垂直寸法を有し得、第１の寸法は第２の寸法よりも長い。第１の寸法は、挿入部材の長さであり得る。第２の寸法は、挿入部材の幅であり得る。
【００１９】
本方法は、例えば切り込みによって、カバーに開口部を形成することを備え得る。開口部は、細長い開口部であり得、スリットであり得る。開口部は、挿入部材の第２の寸法よりも大きい長さを有し得る。開口部の長さは、第１の寸法未満であり得る。
【００２０】
本方法は更に、第１の寸法が開口部に対して横方向に延びる向きで、挿入部材を開口部に長手方向に挿通することを備え得る。
【００２１】
挿入部材は、主要部を備え得る。主要部は、固定デバイスが延び得る開口を画定し得る。
【００２２】
開口は、主要部がカバーの開口部に挿通されるときに、係留部材が主要部に対して角度をなして延びることを可能にするために細長くてもよい。開口は、主要部の第１の寸法に沿って延び得る。
【００２３】
挿入部材は、カバーに係合するための係合面を有し得る周辺部分を含み得る。係合面は、主要部の周りに延在し得る。係合面は、実質的に平面であり得る。主要部は、ドーム形状を有し得る。
【００２４】
キャッピングアセンブリは更に、挿入部材が開口部に挿通されたときに挿入部材を配向するための配向装置を含み得る。配向装置は、挿入部材を所望の向きに配向するように操作可能であり得る。１つの実施形態では、所望の向きにおいて、挿入部材の第１の寸法は、開口部の長さに対して平行に延びる。
【００２５】
本方法は、挿入部材の第１の寸法が開口部に対して平行に延びる封止位置に挿入部材を移動させるように配向装置を操作することを備え得る。配向装置の操作は、挿入部材を封止位置に回転させることを備え得る。
【００２６】
配向装置は、細長い可撓性配向部材を備え得る。望ましくは、配向装置は、２つの細長い可撓性配向部材を備え得る。各配向部材は、挿入部材に、その第１の寸法に沿った異なる点で取り付けられ得る。
【００２７】
挿入部材が封止位置に配向されたとき、本方法は、係留部材を固定デバイスを通して引っ張って、固定デバイスを挿入部材に対して締め付けることを備え得る。
【００２８】
本方法は、固定デバイスが挿入部材に対して締め付けられたときに、挿入部材より上で係留部材を切断することを含み得る。本方法は、挿入部材が封止位置に配向されたときに、配向部材又は各配向部材を切断することを含み得る。
【００２９】
キャッピングアセンブリは、カバーに係合してそれに対して封止するための封止部分を備え得る。封止部分は、好適な弾性材料から形成され得る。弾性材料は発泡材料であり得る。封止部分は、キャップ上に設けられ得る。
【００３０】
キャップは、挿入部材の形状に対応する形状を有し得る。望ましくは、キャップは、隆起した形状を有し得る中央部分を有し得る。キャップは、中心部分の周りに延在し得る外側部分を含み得る。外側部分は、封止面を有し得る。
【００３１】
キャップは、中央部分から延在するリブを含み得る。リブは、外側部分にわたって延在し得る。封止部分は、カバーの開口部の周りを封止するように封止面上に設けられ得る。
【００３２】
キャップは、挿入部材を覆うカバー上に配設され得る。キャップは、中央部分から突出し得る協働部材を含み得る。協働部材は、外側部分を越えた領域に突出し得る。使用時、協働部材は、被覆膜を貫通して延び得る。挿入部材は、協働部材と協働して挿入部材上にキャップを保持するための協働構造物を含み得る。協働構造物は、開口の縁部を備え得る。
【００３３】
キャップは、中央部分と、中央部分の周りに延在する外側部分と、中央部分から突出する協働部材とを備え得る。挿入部材は、協働部材と協働して挿入部材上にキャップを保持するための協働構造物を含み得る。本方法は、挿入部材を覆うカバー上にキャップを配設することを含み得、それによって、協働部材は、カバーを貫通して延びて、協働構造物と協働する。
【００３４】
キャップがカバーのほうに動かされると、協働部材は、その開口部を貫通して延び得る。封止部分がカバーと封止係合するとき、協働部材は、第２の協働構造物と協働してキャップを挿入部材上に保持する。
【００３５】
キャッピングアセンブリは、キャップの好適な穴を貫通して延びて挿入部材の穴によって受容されることができる、ねじなどの締結具を更に含み得る。こうして、キャップと挿入部材とが互いに締結されることができ、それによって、挿入部材とキャップとの間にカバーを挟持する。
【００３６】
本発明の実施形態は、ここから以下の付随図面を参照して、単に例として説明される。
【図面の簡単な説明】
【００３７】
【図１】キャッピングアセンブリの側面図である。
【図２】図１に示されるキャッピングアセンブリの分解図である。
【図３】把持デバイスの側断面図である。
【図４】挿入部材の上面図である。
【図５】挿入部材の側面図である。
【図６】挿入部材が被覆膜のスリットに挿通されようとしている、キャッピングアセンブリを設置する方法のステップを示す斜視図である。
【図７】挿入部材が封止位置にある、キャッピングアセンブリの設置における更なるステップを示す。
【図８】封止位置にある挿入部材を示す側断面図である。
【図９】キャッピングアセンブリの設置における更なるステップを示す。
【図１０】キャップが被覆膜上に配設されようとしている、キャッピングアセンブリの設置における更なるステップを示す。
【図１１】キャップが被覆膜上に配設された、キャッピングアセンブリの設置における更なるステップを示す。
【図１２】挿入部材に取り付けられたキャップを示す側断面図である。
【図１３】キャップの上面斜視図である。
【図１４】キャップの底面斜視図である。
【図１５】カバー上で使用中の更なるキャッピング装置の斜視図である。
【図１６】図１５に示されるキャッピング装置の分解斜視図である。
【図１７】カバー上で使用中の図１５に示されるキャッピング装置の側面図である。
【図１８】カバー上で使用中の図１５に示されるキャッピング装置の側断面図である。
【図１９】細長い要素に取り付けられた図１５に示されるキャッピング装置の更なる斜視図である。
【図２０】別のキャッピング装置の分解図である。
【図２１】図２０に示されるキャッピング装置の側断面図である。
【図２２】カバー上で使用するための更に別のキャッピング装置の上からの斜視図である。
【図２３】図２２に示されるキャッピング装置の下からの斜視図である。
【図２４】図２２に示されるキャッピング装置の側断面図である。
【図２５】図２２に示されるキャッピング装置で使用するための付勢部材を示す。
【図２６】キャップ及びそれに取り付けられた付勢装置の側断面図であり、すべてが図２２に示されるキャッピング装置の一部である。
【図２７】図２６と同様の図であるが、取付部材を示す。
【図２８】蓋がキャップ上にある、図２２に示されるキャッピング装置の側面図である。
【図２９】使用中の２つのキャッピング装置の概略図である。
【詳細な説明】
【００３８】
図１は、被覆膜１２、例えばごみ埋立地を覆う被覆膜１２の形態のカバー上に据え付けられることができるキャッピングアセンブリ１０を示す。図２は、キャッピングアセンブリ１０の分解図である。
【００３９】
キャッピングアセンブリ１０は、被覆膜１２上に配設されることができるキャップ１４と、被覆膜１２を通して挿入するための挿入部材１６とを備える。
【００４０】
キャップ１４は、挿入部材１６に締結されることができ、それによって、以下で説明するように、キャップ１４と挿入部材１６との間に被覆膜１２を挟持するためのクランプアセンブリを構成する。キャッピングアセンブリ１０がカバー上に固定されることを可能にするために、固定装置１８が設けられる。
【００４１】
固定装置１８は、例えば、ケーブル、ワイヤ、ワイヤロープなどの細長い係留部材２２を把持するための把持デバイス２０の形態の固定デバイスを備える。把持デバイス２０は、挿入部材１６によって保持される。把持デバイス２０は、英国特許出願公開第２５１６５３３号に記載されているようなものであり得る。
【００４２】
把持デバイス２０の断面図が図３に示され、簡単な詳細は以下の通りである。把持デバイス２０は、本体２４と、本体２４の上端部から外側に延在するフランジ２６とを有する。図示の実施形態では、フランジ２６は、本体２４の周り全体に延在する。
【００４３】
把持デバイス２０は、係留部材２２が延びることができる通路２８を画定する。把持デバイス２０は、把持部材２９及びばね３０を備える。把持部材２９は、ばね３０によって通路２８に向かって付勢されて、把持部材２９と通路２８の壁３２との間で係留部材２２を把持する。
【００４４】
固定装置１８は、キャッピングアセンブリ１０を地面に固定するための係留アセンブリ３２を更に含む。係留アセンブリ３２は、細長い係留部材２２及びグラウンドアンカー３４を備える。係留部材２２は、クランプアセンブリをグラウンドアンカー３４に係留するために設けられる。
【００４５】
係留部材２２の下端領域２２Ａは、グラウンドアンカー３４に取り付けられる。係留部材２２の下端部３６は、アンカー３４の輪３７に通される。次いで係留部材２２の下端領域２２Ａにループ４０が形成される。下端部３６は、フェルール３８によってグラウンドアンカー３４の上方で係留部材２２に固定される。
【００４６】
図３に示されるように、係留部材２２の反対側の上端領域２２Ｂは、把持デバイス２０によって把持される。上端領域２２Ｂは、係留部材２２が把持デバイス２０によってしっかりと把持されるように把持デバイス２０に対して係留部材２２を引っ張る目的で更なるフェルール３８Ｂによって固定されたループ４０Ｂへと形成される。
【００４７】
グラウンドアンカー３４は、英国特許出願公開第２５１４００４号に記載されているようなものであり得る。グラウンドアンカー３４は、その出願公開に記載されているように地中に打ち込まれ得る。
【００４８】
図４及び図５は、楕円形である挿入部材１６を示す。挿入部材１６は、図示の実施形態では長さ寸法Ｌである第１の寸法と、それに垂直な第２の寸法とを有する。図示の実施形態では、第２の寸法は幅寸法Ｗである。長さ寸法Ｌは幅寸法Ｗよりも長い。
【００４９】
挿入部材１６は、固定装置１８の一部、すなわち、挿入部材１６によって画定される開口４４の形態の保持構造物と、開口４４を取り囲む支持部分４６とを含む。開口４４は、それを通して把持デバイス２０を受容することができ、そのようにして受容されると、本体２４は、開口４４及びスリット５８を貫通して延在する。被覆膜１２は、図７に示されように、フランジ２６と支持部分４６との間に捕捉される。代替的に、フランジ２６及び本体２４は、スリット５８に挿通されて、挿入部材１６の当該周囲支持部分４６に係合することができる。両方の場合において、把持デバイス２０は、開口４４を取り囲む支持部分４６によって挿入部材１６上に保持される。
【００５０】
挿入部材１６は、ドーム形状を有する主要部４８を備える。主要部４８は、把持デバイス２０が貫通して延びる開口４４を画定する。
【００５１】
図４に示されるように、開口４４は細長いものであり、広い中央領域５０と、中央領域５０から対向する方向に延びる細長くより狭い外側領域５２とを有する。開口４４の細長い形状は、主要部４８がカバーのスリット５８に挿通されるときに、係留部材２２が主要部４８に対して角度をなして延びることを可能にする（図６参照）。開口４４は、挿入部材１６の中央に画定され、主要部４８の全長の一部に沿って延びる。
【００５２】
挿入部材１６はまた、主要部４８の周りに延在する周辺部分５４を含む。周辺部分５４は、被覆膜１２に係合するための実質的に平坦な係合面５６を有する。
【００５３】
図６〜図９は、被覆膜１２を通して挿入部材１６を挿入し、その後、挿入部材１６を所望の向きに配置するためのステップを示す。被覆膜１２を通して挿入部材１６を挿入するために、スリット５８の形態の細長い開口部が被覆膜１２に切り込まれている。スリット５８は、挿入部材１６の幅寸法Ｗよりも長いが、挿入部材１６の長さ寸法Ｌよりも短い。次いで挿入部材１６は、挿入部材１６の長さ寸法Ｌがスリット５８に対して横方向に延びる向きでスリット５８に挿通される。
【００５４】
キャッピングアセンブリ１０は、挿入部材１６が開口４４に挿通された後に挿入部材１６を所望の向きに配向するための配向装置６０を更に含む。配向装置６０は、２つの細長い可撓性配向部材６２を備える。配向部材６２は、挿入部材１６の主要部４８の対向端部領域で挿入部材１６に取り付けられる。被覆膜１２のスリット５８は、配向部材６２間の距離よりも僅かに長くなるように切り込まれている。
【００５５】
配向部材６２は、スリット５８を貫通して延在することを可能にする距離だけ互いに離される。次いで配向部材６２を対向方向に引っ張ることができ、それによって挿入部材１６を、所望の向き、すなわち挿入部材１６の長さ寸法Ｌがスリット５８に平行に延びる封止位置に回転させる。図７、図９、及び図１０の破線は、封止位置にある挿入部材１６の向きを示す。
【００５６】
挿入部材１６が封止位置に配向されたとき、係留部材２２は、把持デバイス２０を通して引っ張られて、把持デバイス２０を挿入部材１６に対して締め付け、それによって挿入部材１６をアンカー及び地面に固定する。次いで、被覆膜１２より上の配向部材６２及び係留部材２２は、図９に示されるように、切断によって除去されることができる。この係留部材２２及び配向部材６２の除去は、キャップ１４が被覆膜１２の上に配置され、挿入部材１６に取り付けられることを可能にする。
【００５７】
キャップ１４の上面斜視図が図１３に示され、底面斜視図が図１４に示される。キャップ１４は、挿入部材１６の形状に対応する楕円形状を有する。キャップ１４は、隆起した形状を有する中央部分６４と、中央部分６４の周りに延在する外側部分６６も備える。強化リブ６５が、中央部分６４から外側部分６６にわたって延在する。
【００５８】
キャッピングアセンブリ１０は、封止部材６８の形態の封止部分を備える。封止部材６８は、被覆膜１２に係合してそれに対して封止することを可能にする好適な弾性発泡材料から形成される。外側部分６６は、被覆膜１２のスリット５８の周りを封止するために封止部材６８が設けられる下面７０を有する。
【００５９】
キャップ１４を挿入部材１６に取り付けるために、キャップ１４は、挿入部材１６と位置合わせされて被覆膜１２上に配設される。位置合わせは、キャップ１４の外側部分６６が挿入部材１６の周辺部分５４と位置合わせされるようにするものである。封止部材６８は、被覆膜１２に係合してそれに対して封止する。
【００６０】
キャップ１４は、被覆膜１２を貫通して延びる協働部材７２を含む。キャップ１４が被覆膜１２と係合するとき、協働部材７２は被覆膜１２のスリット５８を通して押し出される。挿入部材１６によって画定される細長い開口４４は、協働部材７２を受容する。
【００６１】
協働部材７２は、細長い開口４４の縁部に係合してそれらと協働する縁部を有する。こうしてキャップ１４は、挿入部材１６上に置かれ、協働部材７２と開口４４の縁部との相互作用によって被覆膜１２上に保持される。
【００６２】
キャッピングアセンブリ１０は、ねじなどの締結具７４を更に含み、当該締結具は、被覆膜１２を貫通し、キャップ１４の好適な穴７６を貫通して延びて、挿入部材１６の穴７８によって受容されることができる。したがって、キャップ１４と挿入部材１６とが互いにしっかりと締結され、それによって、挿入部材１６とキャップ１４との間に被覆膜１２を挟持することができる。
【００６３】
キャップ１４の周りに巻かれる細長い可撓性部材（図示せず）を保持するために、上部及び下部フック構造物８０Ａ、８０Ｂが中央部分６４の縁部の周りに設けられる。細長い可撓性部材は、キャップ１４の周りで物品（図示せず）まで延びて、物品をキャップ１４に取り付ける。物品は、補強するために被覆膜１２上に配設された補強ブロック又は砂袋であり得る。代替的に、物品は別のキャッピングアセンブリ１０であってもよい。
【００６４】
本発明の範囲から逸脱することなく様々な修正を行うことができる。例えば、固定装置１８は、把持デバイス２０を保持することができる開口４４の形態であるものとして上述されている。代替的に、固定装置１８は、把持デバイスを備えてもよく、ここにおいて、把持デバイスは、挿入部材１６又はキャップ１４のいずれかに固定して取り付けられる。
【００６５】
図１５〜図２１は、ごみ埋立地の埋立地に被覆膜１１００を固定する際に使用するための、全体的に１０１０で示される、別のキャッピング装置を示す。キャッピング装置１０１０は、キャップ１０１１と、キャップ１０１１上に据えられることができる蓋１０１２とを備える。キャッピング装置１０１０はまた、被覆膜１１００に対してキャップ１０１１を封止する封止部分１０１４を備える。
【００６６】
キャッピング装置１０１０は更に、キャップ１０１１を被覆膜１１００上に固定するための係留アセンブリ１０１６を含む。係留アセンブリ１０１６は、細長い係留部材１０１８と、係留部材１０１８を把持するための把持デバイス１０２０と、地面に留められることができるグラウンドアンカー１０２２とを備える。係留部材１０１８は、ワイヤ、ケーブル、ワイヤロープなどの形態である。
【００６７】
キャップ１０１１は、弾性的に変形可能な材料から形成され、それによって、キャップ１０１１が蓋１０１２をその上に保持するとともに、被覆膜１１００の形状に適合することを可能にする。キャップ１０１１は、隆起した中央部分１０２４と、中央部分１０２４の周りに環状に延在する外側部分１０２６とを備える。
【００６８】
中央部分１０２４は、キャップ１０１１が地面に固定されることを可能にする固定構造物を構成する。図示の実施形態では、中央部分１０２４は、キャップ１０１１を貫通する開口１０２４Ａを画定する。
【００６９】
中央部分１０２４は、開口１０２４Ａの周りに延在する環状の上向きの支持面１０２５を有する。把持デバイス１０２０は、以下でより詳細に説明するように、開口１０２４Ａを貫通して延び、中央部分１０２４の支持面１０２５上に支持される。
【００７０】
キャップ１０１１は、中央部分１０２４の周りに延在する環状の止まり溝１０２７（図１６及び図１８参照）を画定し、溝１０２７は、外側部分１０２６と中央部分１０２４との間に画定される。蓋１０１２は、環状の壁部分１０２８及び頂部１０３０を有する。
【００７１】
壁部分１０２８の下縁領域１０３２は、溝１０２７に受容され、頂部１０３０は、開口１０２４Ａの上に延在する。壁部分１０２８の下縁領域１０３２は、溝１０２７に挿入され、壁部分１０２８を把持するキャップ１０１１の弾性変形によってキャップ１０１１上に保持される。
【００７２】
キャップ１０１１は、キャップ１０１１に皿状形状を提供する凹部１０３６を画定する下面１０３４を有する。キャップ１０１１の皿状形状は、弾性的に変形可能なキャップ１０１１が被覆膜１１００に対して封止し、被覆膜１１００の形状に適合することを可能にする。リム部分１０４０が、中央部分１０２４を越えて軸方向に延在して、凹部１０３６を画定する。
【００７３】
下面１０３４はまた、リム部分１０４０において凹部１０３６の周りに延在する環状ソケット１０３８を画定する。ソケット１０３８は、封止部分１０１４を保持する。封止部分１０１４は、被覆膜１１００に係合する環状の封止部材１０４２を備え、封止部分１０１４がソケット１０３８によってキャップ１０１１上に保持されるようにソケット１０３８に押し込まれることができる環状の保持要素１０４４を更に含む。
【００７４】
ここで、キャップ１０１１上に据え付けられた把持デバイス１０２０を示す図１８を参照する。把持デバイス１０２０は、例えば、英国特許出願公開第２５１６５３３号に図示及び記載されているような固定デバイスであり得る。
【００７５】
図１８に示されるように、把持デバイス１０２０は、本体１０４６と、本体１０４６内に配設された把持構成部品とを備える。把持デバイス１０２０は、本体１０４６上に外向きに延在するフランジ１０４８を更に含む。
【００７６】
使用時、本体１０４６は、キャップ１０１１の隆起した中央部分１０２４の開口１０２４Ａに挿通される。外側に延在するフランジ１０４８は、支持面１０２５に係合し、それによって把持デバイス１０２０を支持する。
【００７７】
グラウンドアンカー１０２２は、ＧＢ２５１４００４に記載されているようなものであり得る。本明細書で説明される本発明の実施形態の使用時、係留部材１０１８は、図示されるようにグラウンドアンカー１０２２に取り付けられる。次いでグラウンドアンカー１０２２は、被覆膜１１００の穴１０５０を通して埋立地に打ち込まれる。グラウンドアンカー１０２２は、埋立地を通して地中に打ち込まれ、そこに留められる。
【００７８】
グラウンドアンカー１０２２が地面に留められると、係留部材１０１８は、把持デバイス１０２０の本体１０４６を通してねじ止めされ、きつく引っ張られることができる。その結果、係留部材１０１８は、把持デバイス１０２０に把持される。
【００７９】
係留部材１０１８を把持デバイス１０２０内できつく引っ張ることによって、キャップ１０１１は被覆膜１１００に対して引っ張られる。これにより、キャップ１０１１を、被覆膜１１００の形状に適合するように変形させる。これにより、封止部分１０１４を被覆膜１１００に対して封止させる。
【００８０】
キャップ１０１１の皿状形状は、係留部材１０１８の張力を、キャップ１０１１を通して被覆膜１１００にリム部分１０４０を介して伝わらせる。したがって、係留部材１０１８は、リム部分１０４０の封止部分１０１４を引っ張り、被覆膜１１００と封止係合するようにする。
【００８１】
次いで把持デバイス１０２０から上方に突出する係留部材１０１８の部分が適切な長さに切断されて、蓋１０１２をキャップ１０１１上に据えることを可能にする。壁部分１０２８の下縁領域１０３２は、溝１０２７に挿入され、それによって、キャップ１０１１を弾性的に変形させ、蓋１０１２に対して封止させる。このように、埋立地からのヒュームの漏出を防止又は低減するための不浸透性シールがもたらされる。同様に、封止部分１０１４は、被覆膜１１００に対して封止し、キャップ１０１１のリム部分１０４０を介したヒュームの漏出を防止する。
【００８２】
キャップ１０１１のリム部分１０４０は、キャップ１０１１の周りに延在する環状の空洞１０５２を画定する。空洞１０５２は、半径方向外向きである。ウェビングテープ１０５４などの可撓性の細長い要素が、環状の空洞１０５２に受容される。ウェビングテープ１０５４は、キャップ１０１１の周りで物品（図示せず）まで延びて、物品をキャップ１０１１に取り付ける。物品は、補強するために被覆膜１１００上に配設された補強ブロックであり得る。
【００８３】
こうしてごみ埋立地の埋立地に被覆膜１１００を固定するためのキャッピング装置１０１０が説明される。キャッピング装置１０１０は、キャッピング装置１０１０の上に追加の材料を設ける必要なく、被覆膜１１００に形成された穴１０５０の周り及びキャップ１０１１の開口１０２４Ａの周りを封止する。これは、コスト及び設置時間を低減する。
【００８４】
本発明の範囲から逸脱することなく様々な更なる修正を行うことができる。全体的に１１１０で示される、更に別のキャッピング装置が図２０及び図２１に示されている。キャッピング装置１１１０は、図１５〜図１９に示されるキャッピング装置１０１０の特徴の多くを備える。これらの特徴は、図１５〜１９に示される対応する特徴と同じ参照番号で示される。
【００８５】
キャッピング装置１１１０は、開口部１１２７を画定する外側部分１１２６を備える点でキャップ１０１１とは異なるキャップ１１１１を備える。クランプ部材１１２８が、外側部分１１２６から延在する。クランプ部材１１２８は、開口部１１２７から延在するボア１１２９を画定する円筒形部材の形態である。クランプ部材１１２８は、雌ねじ１１２９Ａを含む。
【００８６】
キャップ１１１１は、開口部１１２７に受容されることができる挿入部材１１３０を更に含む。挿入部材１１３０は、雄ねじ１１３２Ａを有する円筒形の主要部分１１３２を有する。主要部分１１３２は、挿入部材１１３０が外側部分１１２６の開口部１１２７にねじ込まれることを可能にするように円筒形ボアに受容されることができる。
【００８７】
挿入部材１１３０は、主要部分１１３２上に半径方向に延在する円錐台形の突出部１１３４を更に含む。円錐台形の突出部１１３４は、先頭部分の形態である。挿入部材１１３０は、以下に説明する理由により、被覆膜１１００の穴１０５０に挿入される。
【００８８】
挿入部材１１３０が穴１０５０に挿入されるとき、円錐台形の突出部１１３４が最初に挿入される。突出部１１３４の円錐台形状は、挿入部材１１３０を穴１０５０に挿入するのを容易にする。
【００８９】
円錐台形の突出部１１３４は、被覆膜をキャップ１１１１に締結するための締結要素を構成する。締結要素は、半径方向外側に延在する係合面１１３６の形態である。
【００９０】
穴１０５０は、円錐台形の突出部１１３４よりもわずかに小さく作製される。その結果、円錐台形の突出部１１３４を穴１０５０に挿入すると、穴１０５０を取り囲む被覆膜の領域が円錐台形の突出部１１３４に沿って摺動し、次いで円錐台形の突出部１１３４を跳び越えて係合面１１３６に係合する。
【００９１】
次いで外側部分１１２６を挿入部材１１３０にねじ込み、係合面１１３６上の被覆膜１１００の領域に締め付けることができる。これにより、係合面１１３６とクランプ部材１１２８との間に被覆膜１１００を挟持し、それによってキャップ１１１１に被覆膜１１００を封止する。
【００９２】
主要部分１１３２は、把持デバイス１０２０を受容するための開口１１４０を画定する、半径方向内向きに延在する支持部材１１３８を更に含む。支持部材１１３８は、把持デバイス１０２０を支持するための支持面１４２を提供する。
【００９３】
環状蓋接触部分１１５０が、支持部材１１３８から延在する。蓋１０１２は、蓋１０１２がキャップ１１１１上に据えられると、環状蓋接触部分１１５０を受容する。
【００９４】
把持デバイス１０２０は、係留部材１０１８を把持し、これにより、係留部材１０１８を締め付けることを可能にし、それによって、キャッピング装置１１１０を被覆膜１１００に対してきつく引っ張る。
【００９５】
図２２〜図２９を参照すると、全体的に１２１０で示される、更に別のキャッピング装置が示されており、これは上述のキャッピング装置１１１０の特徴の多くを備える。これらの特徴は、図２２〜図２５において、図１５〜図１９の対応する特徴と同じ参照番号で示されている。
【００９６】
キャッピング装置１２１０は、中央部分１２１４と、中央部分１２１４の周りに環状に延在する外側部分１２１６とを有するキャップ１２１２を備える。外側部分１２１６は、環状ディスクの形態である。
【００９７】
中央部分１２１４は、外側部分１２１６と一体的に形成され得る。代替的に、中央部分１２１４は、外側部分１２１６とは別個に形成され、図２０及び図２１に示されるキャッピング装置１２１０を参照して上述されたものと同様のねじ構造物を使用して、又は当業者であれば理解する他の好適な技法によって、外側部分に取り付けられてもよい。
【００９８】
キャップ１２１２は、マスチック材料１２２０が外側部分１２１６に塗布された下面１２１８を有する。使用時に、マスチック材料１２２０は、キャップ１２１２を被覆膜１１００に接着し、シールを提供し、その結果、被覆膜１１００に対してキャップ１２１２が封止される。
【００９９】
キャップ１２１２の中央部分１２１４は、上述の開口１０２４Ａ及び１１４０と同じ機能を有し、それを貫通する開口１２２２を画定する。中央部分１２１４はまた、開口１２２２に隣接した、中央部分１２１４の上面１２２５の凹部１２２３を画定する。凹部１２２３は、把持デバイス１０２０上の外向きに延在するフランジ１０４８に係合して支持する支持面１２２８を提供し、それによって把持デバイス１０２０を中央部分１２１４に保持する。
【０１００】
上述したのと同じ様式で、係留部材１０１８は、把持デバイス１０２０によって把持され、グラウンドアンカー１０２２まで延び、グラウンドアンカー１０２２は、埋立地に又は埋立地の下の地中に打ち込まれている。
【０１０１】
開口１２２２は、把持デバイス１０２０がその中に受容される主要開口領域１２２４と、主要開口領域１２２４から延びる一対の対向する補助開口領域１２２６とを有する。フィンガの形態の一対の対向する協働部材１２３０が、補助開口領域１２２６内に設けられる。協働部材１２３０は、互いに向かって上方に傾斜している。協働部材１２３０の目的を以下に説明する。
【０１０２】
キャッピング装置１２１０は更に、圧縮ばねの形態の弾性部材１２３４を備える付勢装置１２３２（図２４参照）を含む。付勢装置１２３２はまた、弾性部材１２３４の内部領域から上方に延びる２つの取付部材１２３６を含む。
【０１０３】
取付部材１２３６は細長く、自由上端を有する。取付部材１２３６の各自由端には、それぞれフック部分１２３８が設けられる。フック部分１２３８は、以下でより詳細に説明するように、補助開口領域１２２６内の協働部材１２３０の上端に引っ掛かることができ、それによって、付勢装置１２３２をキャップ１２１２に取り付ける。
【０１０４】
図２８は、蓋１０１２がキャップ１２１２の中央部分１２１４上に配設されたキャッピング装置１２１０を示す。キャップ１２１２は、外側部分１２１６に隣接する蓋接触部分１２１５を有する。図２４及び図２６から分かるように、蓋接触部分１２１５は、支持面１２２８よりも外側部分１２１６に近い。蓋接触部分１２１５は、蓋に係合する「Ｏ」リングシールなどのシール部材１２１７を有し、それによってヒュームの漏出を防止する。
【０１０５】
使用時に、被覆膜１１００に穴が開けられ、グラウンドアンカー１０２２は、好適な長さの係留部材１０１８が穴から突出するような距離だけ地中に打ち込まれる。次いで付勢装置１２３２を被覆膜１１００の穴に通し、その結果、係留部材１０１８は付勢装置１２３２の中央を貫通して延びる。
【０１０６】
付勢装置１２３２は、取付部材１２３６が穴を貫通して延びるように配置される。次いでキャップ１２１２は、取付部材１２３６が補助開口領域１２２６に受容されるように、穴の上に配置される。フック部分１２３８は、補助開口領域１２２６内の協働部材１２３０の端部に引っ掛かり、それによって、付勢装置１２３２をキャップ１２１２に取り付ける。こうして被覆膜１１００は、付勢装置１２３２とキャップ１２１２との間に固定される。
【０１０７】
次いで、穴から突出する係留部材の端部には、把持デバイス１０２０が通され、きつく引っ張られ、その結果、把持デバイスは、引っ張られて支持面ときつく係合する。これにより、キャップ１２１２を弾性部材１２３４に対して引っ張り、付勢装置１２３２を埋立地に押し込む。その効果は、弾性部材１２３４を圧縮し、その結果、被覆膜１１００をキャップ１２１２に押し付け、それによって、被覆膜１１００をキャップ１２１２と弾性部材１２３４との間に挟持することである。
【０１０８】
図２９は、埋立地で使用中の２つのキャッピング装置１２１０を概略的に示す。図２９に示されるキャッピング装置１２１０の各々は、被覆膜が弾性部材１２３４とキャップ１２１２との間に挟持される。
【図１】
2021510626.tif 000003
【図２】
2021510626.tif 000004
【図３】
2021510626.tif 000005
【図４】
2021510626.tif 000006
【図５】
2021510626.tif 000007
【図６】
2021510626.tif 000008
【図７】
2021510626.tif 000009
【図８】
2021510626.tif 000010
【図９】
2021510626.tif 000011
【図１０】
2021510626.tif 000012
【図１１】
2021510626.tif 000013
【図１２】
2021510626.tif 000014
【図１３】
2021510626.tif 000015
【図１４】
2021510626.tif 000016
【図１５】
2021510626.tif 000017
【図１６】
2021510626.tif 000018
【図１７】
2021510626.tif 000019
【図１８】
2021510626.tif 000020
【図１９】
2021510626.tif 000021
【図２０】
2021510626.tif 000022
【図２１】
2021510626.tif 000023
【図２２】
2021510626.tif 000024
【図２３】
2021510626.tif 000025
【図２４】
2021510626.tif 000026
【図２５】
2021510626.tif 000027
【図２６】
2021510626.tif 000028
【図２７】
2021510626.tif 000029
【図２８】
2021510626.tif 000030
【図２９】
2021510626.tif 000031
【国際調査報告】
2021510626.tif 000032
2021510626.tif 000033